(57)【要約】【課題】建物において上下階での光環境の一体感を高めつつ、照明計画の容易化を図ることができる建物の間仕切壁構造を提供する。【解決手段】建物１０には、一階部分１１と二階部分１２とに吹き抜けた階段空間２２が設けられており、その階段空間２２には階段２１が設けられている。各階において、階段空間２２は隣接空間３１と隣接しており、階段空間２２と各隣接空間３１とは階段壁４１により仕切られている。階段壁４１は階段空間２２を囲むように複数配置されており、隣り合う階段壁４１は互いに交差する方向に延びている。各階段壁４１は、一対の壁面材と、それら壁面材の間に配置されたＬＥＤ照明装置とを有しており、ＬＥＤ照明装置は点灯することにより壁面材を通じて階段空間２２及び各階の隣接空間３１の照明を行う。【選択図】図１
2012188852.tif 000002
【特許請求の範囲】
【請求項１】
上下に隣接する上階部と下階部とを行き来可能とする階段を有するとともに上下階に吹き抜けた階段空間を備えている建物に適用され、
前記建物の上下階のそれぞれにおいて前記階段空間を区画する階段壁を間仕切壁として備えている建物の間仕切壁構造であって、
ＬＥＤを光源とするＬＥＤ照明装置が前記階段壁の内部に設けられ、
前記階段壁における前記階段空間側及び該階段空間とは反対側の両壁面の少なくとも一方が、前記ＬＥＤ照明装置が点灯することで発光する発光面とされていることを特徴とする建物の間仕切壁構造。
【請求項２】
前記階段壁における前記両壁面が、上下階のそれぞれにおいて前記発光面とされていることを特徴とする請求項１に記載の建物の間仕切壁構造。
【請求項３】
前記ＬＥＤ照明装置は、前記建物の上下階において前記両壁面を共に発光させた一斉点灯状態となるものであることを特徴とする請求項２に記載の建物の間仕切壁構造。
【請求項４】
前記階段壁の前記両壁面において各発光面は、前記階段空間側及び該階段空間とは反対側に対する発光量が異なることを特徴とする請求項２又は３に記載の建物の間仕切壁構造。
【請求項５】
前記階段壁は、前記階段空間を囲むように複数配置されており、
上下階のそれぞれにおいて、複数の前記階段壁のうち少なくとも２つの階段壁が、前記階段空間とは反対側において各階の壁面に前記発光面を有していることを特徴とする請求項１乃至４のいずれか１項に記載の建物の間仕切壁構造。
【請求項６】
前記ＬＥＤ照明装置は、
前記階段空間側に向けて発光する第１光源と、
前記階段空間とは反対側に向けて発光する第２光源と、
を有していることを特徴とする請求項１乃至５のいずれか１項に記載の建物の間仕切壁構造。
【請求項７】
前記階段壁における前記両壁面を形成する一対の壁面材が互いに離間して設けられ、
前記第１光源及び前記第２光源は、前記一対の壁面材の間に配置され、
前記一対の壁面材は、前記第１光源及び前記第２光源の光を壁面外側に透過させる光透過材とされていることを特徴とする請求項６に記載の建物の間仕切壁構造。
【請求項８】
前記一対の壁面材のうち前記階段空間とは反対側の壁面材を着脱可能に支持する支持手段を備えていることを特徴とする請求項７に記載の建物の間仕切壁構造。
【請求項９】
請求項１乃至８のいずれか１項に記載の間仕切壁構造を備えている建物であって、
前記上階部及び前記下階部には、前記階段空間に隣接した隣接空間がそれぞれ複数配置されており、
前記階段壁の前記両壁面が前記発光面とされており、
前記階段壁において前記階段空間とは反対側の前記発光面が前記隣接空間を照明する手段とされていることを特徴とする建物。
【発明の詳細な説明】
【技術分野】
【０００１】
本発明は、建物の間仕切壁構造及びそれを備える建物に関するものである。
【背景技術】
【０００２】
住宅等の建物には蛍光灯などの照明装置が設置されており、照明装置が点灯することで室内の明るさが確保されている。近年では、室内を明るく照らすことだけではなく、インテリアに合わせて室内の意匠性を高めることや、住人等の生活に際して快適性を高めることが照明装置に求められている。そこで、建物の構築に際して照明計画が練られ、住人等のニーズに合わせて照明設計が行われる。これにより、例えば、照明装置を天井ではなく壁に取り付ける（例えば特許文献１）などといった工夫がなされている。
【先行技術文献】
【特許文献】
【０００３】
【特許文献１】特開２００８−１１７６４２号公報
【発明の概要】
【発明が解決しようとする課題】
【０００４】
ところで、複数階建ての建物においては、上下階が上階部の床等により仕切られているため、階ごとに別々の照明装置が設置されている。この場合、階ごとで別々に照明計画を練る必要があり、例えば照明装置による光環境に上階部と下階部とで一体感を持たせようとすれば、階ごとに別々に練った照明計画を照らし合わせてさらに検討するという手間が生じてしまう。
【０００５】
本発明は、建物において上下階での光環境の一体感を高めつつ、照明計画の容易化を図ることができる建物の間仕切壁構造を提供することを主たる目的とする。
【課題を解決するための手段】
【０００６】
上記課題を解決するために、第１の発明の建物の間仕切壁構造は、上下に隣接する上階部と下階部とを行き来可能とする階段を有するとともに上下階に吹き抜けた階段空間を備えている建物に適用され、前記建物の上下階のそれぞれにおいて前記階段空間を区画する階段壁を間仕切壁として備えている建物の間仕切壁構造であって、ＬＥＤを光源とするＬＥＤ照明装置が前記階段壁の内部に設けられ、前記階段壁における前記階段空間側及び該階段空間とは反対側の両壁面の少なくとも一方が、前記ＬＥＤ照明装置が点灯することで発光する発光面とされていることを特徴とする。
【０００７】
第１の発明によれば、階段に沿って上下階に亘って延びる階段壁の壁面が発光することにより、上下階のそれぞれの光環境をまとめて変化させることができる。この場合、上下階を統一感のある雰囲気とする照明演出を、複数階建ての建物にとっては必要不可欠な階段を利用して実現できる。しかも、ＬＥＤ照明装置が階段壁内に設置されているため、上下階で上下方向に連続する場所にＬＥＤ照明装置を設置していることになり、階段壁に関する照明計画を上下階についてまとめて練ることができる。したがって、照明計画を階ごとに別々に練る場合に比べて、上下階を統一感のある雰囲気とする照明演出の実現が容易となる。以上の結果、建物において上下階での光環境の一体感を高めつつ、照明計画の容易化を図ることができる。
【０００８】
なお、上下階のそれぞれにおいて階段空間とは反対側の壁面が発光面とされている構成によれば、上下階の各隣接空間についての照明計画をまとめて練ることができる。つまり、階ごとの照明計画をまとめて練ることができる。
【０００９】
第２の発明では、前記階段壁における前記両壁面が、上下階のそれぞれにおいて前記発光面とされている。
【００１０】
階段空間、上階部の隣接空間及び下階部の隣接空間は階段壁等により互いに仕切られているが、第２の発明によれば、階段壁は、階段空間用の照明手段と隣接空間用の照明手段とが集約されたものとなっているため、階段壁の発光により階段空間及び各階の隣接空間をまとめて照明することができる。これにより、階段空間と隣接空間とで光環境の一体感を高めることができる。しかも、この場合、階段空間及び各階の隣接空間についての照明計画をまとめて練ることができる。これにより、各階の隣接空間ごとに別々に照明計画を練る場合に比べて、上下階の照明計画の容易化を図ることができる。
【００１１】
第３の発明では、前記ＬＥＤ照明装置は、前記建物の上下階において前記両壁面を共に発光させた一斉点灯状態となるものである。
【００１２】
第３の発明によれば、ＬＥＤ照明装置の点灯に伴って階段空間及び各階の隣接空間が一斉に発光した状態となるため、人が階段空間を通って上階部の隣接空間と下階部の隣接空間とを移動する際に、階段空間や各階の隣接空間のそれぞれにおいて照明器具の点灯及び消灯を行うという煩わしさを解消できる。
【００１３】
第４の発明では、前記階段壁の前記両壁面において各発光面は、前記階段空間側及び該階段空間とは反対側に対する発光量が異なる。
【００１４】
第４の発明によれば、階段壁の両発光面の一方の単位面積当たりの発光量（発光率）を他方よりも小さくすることで省エネルギ効果を得ることができる。例えば、階段空間側の発光率を各階の隣接空間側の発光量より小さくすることにより、階段空間においては階段の昇降に際して支障のない照度を確保しつつ、省エネルギ化を図ることができる。
【００１５】
第５の発明では、前記階段壁は、前記階段空間を囲むように複数配置されており、上下階のそれぞれにおいて、複数の前記階段壁のうち少なくとも２つの階段壁が、前記階段空間とは反対側において各階の壁面に前記発光面を有している。
【００１６】
第５の発明によれば、複数の階段壁は階段空間とは反対側に向けて複数方向に発光するため、階段空間とは反対側において照明できる範囲を極力広くすることができる。つまり、隣接空間での照明可能な範囲を広域化することや、複数の隣接空間をまとめて照明することが可能となる。これにより、階段壁の発光面により建物全体の屋内空間を照明する全館照明の実現が可能となる。
【００１７】
第６の発明では、前記ＬＥＤ照明装置は、前記階段空間側に向けて発光する第１光源と、前記階段空間とは反対側に向けて発光する第２光源と、を有している。
【００１８】
第６の発明によれば、階段壁の両壁面を発光面とする構成を第１光源及び第２光源により実現でき、しかも、それら光源を階段壁の内部という共通のスペースに配置することができる。
【００１９】
第７の発明では、前記階段壁における前記両壁面を形成する一対の壁面材が互いに離間して設けられ、前記第１光源及び前記第２光源は、前記一対の壁面材の間に配置され、前記一対の壁面材は、前記第１光源及び前記第２光源の光を壁面外側に透過させる光透過材とされている。
【００２０】
階段壁の壁面が発光面とされている構成では、その発光面が人の視界に入りやすい。この点、第７の発明によれば、光源にて発生した光が光透過材を通じて階段壁の外側に放出されるため、仮に発光面が人の視界に入っても、人は光源による直接的な眩しさを感じにくくなる。これにより、グレアの発生を抑制できる。
【００２１】
第８の発明では、前記一対の壁面材のうち前記階段空間とは反対側の壁面材を着脱可能に支持する支持手段を備えている。
【００２２】
階段空間に照明器具が設置されている場合、その照明器具のメンテナンス作業を階段空間において行うことは困難性が高いと考えられる。これは、階段空間においてはメンテナンス作業に際しての足場を階段や踊り場といった不安定な場所とせざるを得ず、足場を気にしながら作業を行うことになるためである。この点、第８の発明によれば、隣接空間側の壁面材を取り外すことにより、階段壁のＬＥＤ照明装置のメンテナンス作業を各階の隣接空間から行うことが可能となるため、メンテナンス作業に際して安全性を高めることができる。特に、階段上部は下階部床面からの高さ寸法が大きいため、階段空間での作業に際して安全性を確保することが困難になるが、階段壁の上部に配置されたＬＥＤ照明装置について階段空間ではなく上階部の隣接空間側からメンテナンス作業を行うことができるため、作業に際しての安全性を容易に確保できる。
【００２３】
第９の発明の建物では、第１乃至８の発明のいずれかに記載の間仕切壁構造を備えている建物であって、前記上階部及び前記下階部には、前記階段空間に隣接した隣接空間がそれぞれ複数配置されており、前記階段壁の前記両壁面が前記発光面とされており、前記階段壁において前記階段空間とは反対側の前記発光面が前記隣接空間を照明する手段とされていることを特徴とする。
【００２４】
第９の発明によれば、各階において階段壁の発光面により複数の隣接空間を照明することができる。このため、階段壁の発光面により照明できる範囲を極力広くすることができ、ひいては、階段壁の発光面により建物全体の屋内空間を照明する全館照明の実現が可能となる。さらに、第１及び８の発明と同様の効果を奏することができる。
【図面の簡単な説明】
【００２５】
【図１】本実施形態における建物の概略断面図。
【図２】建物の間取りを示す平面図。
【図３】階段壁の縦断面を示す図。
【図４】階段壁の構成を示す正面図。
【発明を実施するための形態】
【００２６】
以下、本発明を具体化した一実施形態について図面を参照しつつ説明する。本実施形態では、本発明を多層階建ての建物として二階建ての建物にて具体化している。図１は建物１０の概略断面図、図２は建物１０の間取りを示す平面図である。なお、図２においては、（ａ）に一階部分１１を示し、（ｂ）に二階部分１２を示す。
【００２７】
図１、図２に示すように、住宅等の建物１０は、下階部としての一階部分１１と、上階部としての二階部分１２とを有している。一階部分１１と二階部分１２とは上下に隣接しており、二階部分１２の上には屋根部分１３が設けられている。
【００２８】
一階部分１１は屋内空間としての下階空間を有しており、二階部分１２は屋内空間としての上階空間を有している。下階空間と上階空間とは、二階部分１２の床部により上下に仕切られている。なお、二階部分１２の床部及び一階部分１１の天井部により上下階が仕切られていてもよい。
【００２９】
建物１０には、一階部分１１と二階部分１２との行き来を可能とする階段２１が設けられている。具体的には、建物１０には階段空間２２が設けられており、階段２１は階段空間２２に設置されている。階段空間２２は、二階部分１２の床部に形成された開口部を通じて上下階に吹き抜けており、上階空間及び下階空間の各一部を含んで形成されている。階段２１においては、最下段が一階部分１１の床部に接続され、最上段が二階部分１２の床部に接続されている。階段２１は、折り返し階段とされており、上下階の床面の間に配置された踊り場を有している。なお、階段２１は、直進階段や曲がり階段とされていてもよい。
【００３０】
一階部分１１及び二階部分１２には、階段空間２２に隣接した隣接空間３１と、階段空間２２から離間して配置された非隣接空間３２とがそれぞれ設けられている。隣接空間３１は、一階部分１１及び二階部分１２のそれぞれにおいて複数配置されている。例えば、一階部分１１においては、隣接空間３１によりキッチンやリビング、脱衣室が形成され、非隣接空間３２により浴室や廊下、玄関が形成されている。二階部分１２においては、隣接空間３１により寝室や子供室が形成され、非隣接空間３２によりトイレや廊下が形成されている。
【００３１】
建物１０には、屋内空間において階段空間２２を区画する階段壁４１が設けられている。階段壁４１は、一階部分１１及び二階部分１２のそれぞれにおいて階段空間２２と隣接空間３１とを仕切る間仕切壁とされており、階段空間２２に沿って上下階に亘って上下方向に延びている。階段空間２２は平面視において矩形状とされており、階段壁４１は階段空間２２を囲むようにその階段空間２２に沿って複数並べられている。この場合、隣り合う階段壁４１は互いに交差する方向に延びており、階段空間２２とは反対側においてそれぞれの壁面は異なる方向を向いている。複数の階段壁４１のうちいずれかの階段壁４１には、階段２１に通じる階段開口部４２が一階部分１１及び二階部分１２のそれぞれに設けられており、人は階段開口部４２を通じて階段空間２２に出入りする。
【００３２】
本実施形態では、各階段壁４１の内部に照明手段が設けられており、その照明手段が発光するとそれぞれの壁面が発光する構成とされている。この構成によれば、壁面が発光することで階段空間２２及び各階の隣接空間３１をそれぞれ照明することが可能となっている。
【００３３】
ここでは、階段壁４１の構成について図３、図４を参照しつつ説明する。図３は二階部分１２において階段壁４１の縦断面を示す図、図４は階段壁４１の構成を示す正面図である。なお、図３には階段壁４１のうち二階部分１２にある部分を示す。また、図４においては、（ａ）に階段空間２２側から見た場合の階段壁４１の正面図を示し、（ｂ）に隣接空間３１側から見た場合の階段壁４１の正面図を示す。
【００３４】
まず、階段壁４１のうち二階部分１２にある部分について説明する。図３に示すように、階段壁４１は、互いに離間した一対の壁面材５１と、照明手段としてのＬＥＤ照明装置５３とを有している。ＬＥＤ照明装置５３は、一対の壁面材５１の間に設けられており、点灯することにより壁面材５１を通じて階段空間２２及び二階部分１２の隣接空間３１の照明を行う。
【００３５】
壁面材５１は、間柱アクリル樹脂やガラスなどにより板状に形成され、光を透過させる光透過性を有し且つ乳白色に着色されている。一対の壁面材５１は、一方が階段空間２２側の壁面を形成し、他方が階段空間２２とは反対側（隣接空間３１側）の壁面を形成している。壁面材５１の両板面はそれぞれ凹凸形状とされている。このため、ＬＥＤ照明装置５３からの光が壁外側に向けて壁面材５１を透過する際、その光が凹凸部に乱反射することにより光の透過部分を壁面材５１の板面全体をすることができる。つまり、壁面材５１の発光を板面全体において均一化することができる。
【００３６】
一対の壁面材５１は、巾木５５、廻り縁５６及び化粧板５７といった支持手段により着脱可能に支持されている。具体的には、二階部分１２において、床面を形成する床面材５９の上側に床側下地材６１が設けられているとともに、天井面を形成する天井面材６２の下側に天井側下地材６３が設けられている。床側下地材６１には、隣接空間３１側の側面に対して巾木５５が取り付けられ、階段空間２２側の側面に対して化粧板５７が取り付けられている。天井側下地材６３には、隣接空間３１側及び階段空間２２側の両側面に対して廻り縁５６が取り付けられている。巾木５５及び化粧板５７は、隣接空間３１及び階段空間２２において壁面材５１の下端を覆い隠し、廻り縁５６はそれら空間３１，２２において壁面材５１の上端を覆い隠している。なお、化粧板５７は巾木５５や廻り縁５６戸同じ材料により形成されている。
【００３７】
隣接空間３１側の壁面材５１は、その下端が床側下地材６１と巾木５５との間に入り込み且つ上端が天井側下地材６３と廻り縁５６との間に入り込んだ状態で保持されている。この場合、前記壁面材５１は巾木５５及び廻り縁５６に対して後付けされており、天井側の隙間部分Ｓを利用して上下両端の入り込み状態が解除されることで取り外し可能とされている。一方、階段空間２２側の壁面材５１は、その下端が床側下地材６１と化粧板５７との間に入り込み且つ上端が天井側下地材６３と廻り縁５６との間に入り込んだ状態で保持されている。この場合、前記壁面材５１は化粧板５７及び廻り縁５６に対して後付けされており、天井側の隙間部分Ｓを利用して上下両端の入り込み状態が解除されることで取り外し可能とされている。
【００３８】
階段壁４１のうち一階部分１１にある部分は、二階部分１２にある部分と同様に、一対の壁面材５１とＬＥＤ照明装置５３とを有しており、ＬＥＤ照明装置５３により壁面材５１を通じて階段空間２２及び一階部分１１の隣接空間３１の照明を行う。その一方で、階段空間２２側の壁面材５１を支持する構成が異なっている。一階部分１１の壁面材５１は、その下端ではなく上端が化粧板５７により保持されている。つまり、壁面材５１は、その下端が床側下地材６１と巾木５５との間に入り込み且つ上端が天井側下地材６３と廻り縁５６との間に入り込んだ状態で保持されている。この場合、化粧板５７は、二階部分１２の壁面材５１と一階部分１１の壁面材５１との境界部に配置されており、それら壁面材５１の境界部や階間部材（下階の天井大梁や天井側下地材６３、上階の床大梁や床側下地材６１など）を覆い隠している。
【００３９】
ＬＥＤ照明装置５３は、一階部分１１及び二階部分１２のそれぞれにおいて、光源としてのＬＥＤ６７と、ＬＥＤ６７を支持するＬＥＤ支持板６８とを有している。ＬＥＤ６７及びＬＥＤ支持板６８は、階段空間２２側に向けて発光する第１照明部７１と、階段空間２２とは反対側（各階の隣接空間３１側）に向けて発光する第２照明部７２とを構成している。第１照明部７１は第２照明部７２よりも階段空間２２側に配置されており、各照明部７１，７２においては、複数のＬＥＤ６７がＬＥＤ支持板６８の一側面に設けられている。
【００４０】
第１照明部７１のＬＥＤ支持板６８は、階段空間２２側の壁面材５１と平行に延びており、その壁面材５１とほぼ同じ大きさ及び形状とされている。同ＬＥＤ支持板６８は、ＬＥＤ６７が設置された面を階段空間２２側に向けて配置されており、ＬＥＤ６７はＬＥＤ支持板６８の板面全体に並べられている。この場合、各ＬＥＤ６７が点灯することで階段空間２２側の壁面材５１の全体が発光する。つまり、階段壁４１において階段空間２２側の壁面全体が発光面となる。ＬＥＤ６７は、例えば、一階部分１１及び二階部分１２のそれぞれにおいて、矩形状のＬＥＤ支持板６８に対してｍ１行及びｍ２列のマトリックス状にてｍ１×ｍ２個配置されている（図４（ａ）参照）。
【００４１】
一方、第２照明部７２のＬＥＤ支持板６８は、階段空間２２とは反対側（各階の隣接空間３１側）の壁面材５１と平行に延びており、その壁面材５１とほぼ同じ大きさ及び形状とされている。同ＬＥＤ支持板６８は、ＬＥＤ６７が設置された面を各階の隣接空間３１側に向けて配置されており、ＬＥＤ６７はＬＥＤ支持板６８の板面全体に沿って並べられている。この場合、各ＬＥＤ６７が点灯することで隣接空間３１側の壁面材５１の全体が発光する。つまり、階段壁４１において上下階のそれぞれにおいて隣接空間３１側の壁面全体が発光面となる。ＬＥＤ６７は、例えば、一階部分１１及び二階部分１２のそれぞれにおいて、矩形状のＬＥＤ支持板６８に対してｎ１行及びｎ２列のマトリックス状にてｎ１×ｎ２個配置されている（図４（ｂ）参照）。
【００４２】
階段壁４１において階段空間２２側の壁面の発光率（壁面の単位面積当たりの発光量）は、各階の隣接空間３１側の壁面の発光率に比べて大きくされている。具体的には、第２照明部７２におけるＬＥＤ６７の設置密度（単位面積当たりの設置数）は、第１照明部７１におけるＬＥＤ６７の設置密度に比べて大きくされており（ｎ１×ｎ２個＞ｍ１×ｍ２個）、これにより、第２照明部７２の発光率が第１照明部７１の発光率に比べて大きくされている。また、壁面全体の発光量で見ても、隣接空間３１側の方が階段空間２２側より大きくされている。この場合、階段壁４１内のＬＥＤ照明装置５３が点灯することにより、各階の隣接空間３１の照度が階段空間２２の照度より大きくなる。
【００４３】
なお、第１照明部７１の発光率は、階段空間２２において階段２１の昇降に支障がない程度の照度を確保できる程度の大きさとされ、第２照明部７２の発光率は、各階の隣接空間３１においてテレビの視聴など通常の生活に支障がない照度を確保できる程度の大きさとされている。
【００４４】
ＬＥＤ照明装置５３の第１照明部７１及び第２照明部７２について、ＬＥＤ６７の設置態様は階段空間２２や隣接空間３１の大きさや形状、用途、室内仕上面の色などに応じて設定されている。ここでは、一階部分１１と二階部分１２とでＬＥＤ６７の設置態様が照明部７１，７２ごとに統一されているため、上下階についての照明計画をまとめて練ることができる。しかも、光源となるＬＥＤ６７の設置場所は階段壁４１の内部とされているため、照明計画を容易化できる。
【００４５】
階段壁４１において、第１照明部７１及び第２照明部７２は着脱可能に取り付けられている。照明部７１，７２は、一階部分１１及び二階部分１２のそれぞれに配置されており、階ごとに各ＬＥＤ支持板６８は、天井側下地材６３及び床側下地材６１によりそれぞれ支持されている。それら下地材６１，６３には支持溝（図示略）がそれぞれ形成されており、ＬＥＤ支持板６８の天井側端部は天井側下地材６３の支持溝に嵌合されて固定され、床側端部は床側下地材６１の支持溝に嵌合されて固定されている。この場合、照明部７１，７２は、支持溝に対するＬＥＤ支持板６８の嵌合が解除されることによりそれぞれ取り外し可能となる。したがって、照明部７１，７２は、一対の壁面材５１のうち少なくとも一方が取り外されることで階段壁４１から取り外し可能となる。例えば、各階の隣接空間３１側の壁面材５１が取り外されることで、隣接空間３１側の第２照明部７２はもちろんのこと階段空間２２側の第１照明部７１を隣接空間３１側に取り外すことが可能となる。
【００４６】
ＬＥＤ照明装置５３には、その第１照明部７１及び第２照明部７２の点灯及び消灯をまとめて行うスイッチ手段としての照明スイッチ（図示略）が電気的に接続されている。照明スイッチは、各階の隣接空間３１や玄関などにそれぞれ配置されており、いずれの照明スイッチが操作されても照明部７１，７２の点灯及び消灯が行われる。このため、照明スイッチがＯＮ操作されることにより階段壁４１の両壁面が発光し、階段空間２２、各階の隣接空間３１がそれぞれ照明される。照明スイッチがＯＮ操作された場合、ＬＥＤ照明装置５３は、階段壁４１の両壁面を各階において発光させた一斉点灯状態となっている。
【００４７】
本実施形態では、基本的に階段空間２２及び各階の隣接空間３１について、階段２１を取り囲む階段壁４１内のＬＥＤ照明装置５３だけでの照明が可能となる構成としており、ＬＥＤ照明装置５３を点灯させることにより各階の非隣接空間３２を除く建物内空間がまとめて照明できるものとなっている。また、各隣接空間３１においては、壁仕上材や天井仕上材、床仕上材の素材や色が光を反射しやすい構成とされている。この場合、隣接空間３１の内壁面のうち少なくとも一面が階段壁４１の発光面として発光すると、その光が他の内壁面や天井面、床面にて反射及び拡散することにより、隣接空間３１内を均等に明るくすることが可能となる。
【００４８】
なお、上下階の各非隣接空間３２においては内壁面に壁用の照明器具が取り付けられており、その照明器具により非隣接空間３２の照明が行われる。
【００４９】
また、上下階の各隣接空間３１には、自立タイプのスタンド照明など移動式の照明器具が、階段壁４１のＬＥＤ照明装置５３を補助する補助照明装置として設けられている。これにより、隣接空間３１においては、読書する時など階段壁４１の発光面による照明では照度が不足する時に、補助照明装置を点灯させることで十分な照度を確保することができる。
【００５０】
以上詳述した本実施形態によれば、以下の優れた効果が得られる。
【００５１】
ＬＥＤ照明装置５３の点灯に伴って階段壁４１の壁面が発光することにより、一階部分１１及び二階部分１２の光環境をまとめて変化させることができる。この場合、上下階で統一感のある雰囲気をつくり出す照明演出を、複数階建ての建物１０にとっては必要不可欠な階段２１を利用して実現できる。しかも、ＬＥＤ照明装置５３が一対の階段壁４１の内部に設置されているため、上下階でＬＥＤ照明装置５３の設置場所を共有していることになり、階段壁４１に関する照明計画を上下階についてまとめて練ることができる。したがって、照明計画を階ごとに別々に練る場合に比べて、上下階を統一感のある雰囲気とする照明演出の実現が容易となる。以上の結果、建物１０において上下階での光環境の一体感を高めつつ、照明計画の容易化を図ることができる。
【００５２】
階段壁４１において階段空間２２とは反対側の壁面が、一階部分１１及び二階部分１２のそれぞれにおいて発光するため、階段壁４１は、上階用の照明手段と下階用の照明手段とが集約されたものとなっている。このため、階段壁４１内のＬＥＤ照明装置５３により上下階の各隣接空間３１をまとめて照明することができ、ひいては、各階の隣接空間３１を統一感のある雰囲気とする照明演出の実現が容易となる。しかも、この場合、階ごとの照明計画をまとめて行うことができる。
【００５３】
階段壁４１は、階段空間２２用の照明手段と各階の隣接空間３１側の照明手段とが集約されたものとなっているため、上下階の各隣接空間３１に加えて階段空間２２をまとめて照明することができる。このため、階段壁４１により階段空間２２と隣接空間３１とをまとめて照明することができ、ひいては、階段空間２２と各階の隣接空間３１とを統一感のある雰囲気とする照明演出の実現が容易となる。しかも、この場合、階段空間２２と隣接空間３１との照明計画をまとめて行うことができる。
【００５４】
階段壁４１が、階段空間２２及び各階の隣接空間３１のそれぞれにおける照明手段を集約されたものとなっているため、階ごとや空間ごとに敷設するはずの電気配線を階段壁４１にまとめて敷設することができる。これにより、建物１０内の配線計画の容易化を図ることができる。
【００５５】
照明スイッチの操作により階段壁４１における階段空間２２側及び各階の隣接空間３１側の各壁面を一斉に発光させた場合、階段空間２２及び隣接空間３１ごとに照明器具が設置されている構成とは異なり、住人等が階段２１を使用して一階部分１１の隣接空間３１と二階部分１２の隣接空間３１とを移動する際に、階段空間２２や隣接空間３１のそれぞれにおいて照明器具の点灯及び消灯を行うという煩わしさを解消できる。しかも、移動元と移動先とで明るさの均一化を図ることができるため、移動先が照明されていない構成とは異なり、移動先での視界が確保できずに安全性が低下するという不都合を解消できる。
【００５６】
階段空間２２が複数の階段壁４１により囲まれているため、各階段壁４１は第２照明部７２の点灯に伴って階段空間２２とは反対側に向けて複数方向に発光する。このため、各階において階段空間２２とは反対側（隣接空間３１側）を極力広い範囲で照明できる。
【００５７】
階段壁４１の発光面により各階において複数の隣接空間３１が照明されるため、階段壁４１内のＬＥＤ照明装置５３により照明できる範囲を極力広くすることができる。これにより、住人等が各階において複数の隣接空間３１を行き来する場合に、それら隣接空間３１のそれぞれにおいて照明器具の点灯及び消灯を行うという煩わしさを解消できる。さらに、階段壁４１のＬＥＤ照明装置５３を分電盤等と電気的に接続することにより、階段空間２２及び複数の隣接空間３１の照明が可能となるため、部屋ごとに照明器具を分電盤等と電気的に接続する構成に比べて、電気配線の量や敷設範囲を極力小さくできる。これにより、建物１０の電気設備に関する工事負担を低減することができる。
【００５８】
階段壁４１のＬＥＤ照明装置５３により各階の隣接空間３１を照明することができる。この場合、例えば天井埋め込み式の照明器具が隣接空間３１に取り付けられている場合とは異なり、天井面に照明器具を取り付けるための開口を形成する必要がない。このため、階段壁４１の発光面により隣接空間３１の天井面を照らすことでその隣接空間３１の意匠性を高めることができる。これは、階段空間２２についても同様であり、階段壁４１の発光面により階段空間２２の天井面が照らされることでその階段空間２２の意匠性を高めることができる。
【００５９】
階段壁４１において階段空間２２側の発光率が各階の隣接空間３１側の発光率に比べて小さくされているため、階段空間２２側の発光率が高くされることで両発光率が同じとされている構成に比べて、階段壁４１による屋内照明に際して省エネルギ効果を得ることができる。
【００６０】
階段壁４１においてはＬＥＤ６７が一対の壁面材５１により覆われているため、ＬＥＤ６７が壁外側に露出している構成に比べて安全性を高めることができる。この構成において、壁面材５１は光透過性を有しているため、ＬＥＤ６７にて発生した光が壁面材５１を通じて階段壁４１の外側に放出される。したがって、ＬＥＤ６７が発光している場合に階段壁４１の壁面が人の視界に入っても、人はＬＥＤ６７による直接的な眩しさを感じにくくなり、グレアの発生を抑制できる。しかも、壁面材５１は乳白色に着色されているため、グレアの発生をより確実に抑制できる。
【００６１】
階段壁４１において、階段空間２２とは反対側の壁面材５１、第１照明部７１及び第２照明部７２は各階の隣接空間３１から取り外し可能とされている。この場合、ＬＥＤ照明装置５３のメンテナンス作業を行う際に、作業者は階段空間２２ではなく隣接空間３１から作業を行うことができる。つまり、足場が不安定になりやすい階段での作業ではなく、足場を安定させやすい隣接空間３１での作業を行うことができる。これにより、メンテナンス作業に際して安全性を高めることができる。特に、階段空間２２上部での作業は高所作業となるため、隣接空間３１からの作業を可能として安全性を確保することは効果的である。
【００６２】
階段壁４１が間仕切壁とされているため、一対の壁面材５１の間に断熱材が設けられていない。このため、階段壁４１の内部にＬＥＤ照明装置５３が設置される構成において、外壁のように壁内部に断熱材が設けられている構成とは異なり、壁内部にＬＥＤ照明装置５３の設置スペースを容易に確保できる。
【００６３】
（他の実施形態）
本発明は上記実施形態の記載内容に限定されず、例えば次のように実施してもよい。
【００６４】
（１）階段壁４１は、両壁面のうち少なくとも一方が発光する構成とされていればよい。例えば、階段壁４１の階段空間２２とは反対側（隣接空間３１側）の壁面が発光しない構成とする。この構成では、隣接空間３１側の壁面材５１が石膏ボード等の光遮断性を有する板材とされ、第２照明部７２が設けられていない。また、階段空間２２側の壁面が発光しない構成とする。この構成では、階段空間２２側の壁面材５１が石膏ボード等の光遮断性を有する板材とされ、第１照明部７１が設けられていない。
【００６５】
（２）階段壁４１は、光源としてのＬＥＤ６７が発光した場合にその光が壁外側に照射される構成であればよい。この構成としては、ＬＥＤ６７が階段壁４１の外側に露出した構成や、ＬＥＤ６７が壁面材５１に取り付けられた構成などが挙げられる。
【００６６】
（３）ＬＥＤ照明装置５３において、第１照明部７１及び第２照明部７２が共通のＬＥＤ支持板６８を有していてもよい。例えば、1つのＬＥＤ支持板６８の両板面にそれぞれＬＥＤ６７が複数配置されており、階段空間２２側のＬＥＤ６７により第１照明部７１が形成され、それとは反対側のＬＥＤ６７により第２照明部７２が形成された構成とする。なお、ＬＥＤ６７を支持する支持手段は板材でなくてもよい。
【００６７】
（４）階段壁４１において、階段空間２２側の壁面の発光率がそれとは反対側の壁面寄り大きくされていてもよい。例えば、第１照明部７１と第２照明部７２とでＬＥＤ６７の設置密度が同じとされた構成や、ＬＥＤ６７の設置総数が同じとされた構成とする。この場合、人は階段昇降に際して階段２１が視認しやすくなるため、階段昇降時の安全性を高めつつ、省エネルギ効果を高めることができる。
【００６８】
（５）階段壁４１の発光面は、一階部分１１と二階部分１２とで発光率が異なっていてもよい。例えば、階段壁４１の階段空間２２とは反対側の壁面において、一階部分１１が二階部分１２に比べて発光率の大きい構成とする。この構成では、ＬＥＤ照明装置５３の第２照明部７２において、一階部分１１のＬＥＤ６７の設置密度又は設置総数が二階部分１２に比べて大きくされている。これにより、例えば一階部分１１のキッチンでの照度を高くしつつ、二階部分１２の寝室での照度を小さくすることが可能となる。
【００６９】
（６）階段壁４１は、階段空間２２側の壁面のうち階段２１の昇降方向と交差する部分が発光しない構成としてもよい。この構成によれば、階段昇降中の人が視線を正面に向けても壁面の発光部分に眩しさを感じないため、昇降に際しての安全性を高めることができる。
【００７０】
（７）階段壁４１のＬＥＤ照明装置５３において、第１照明部７１及び第２照明部７２には個別に照明スイッチが電気的に接続されていてもよい。また、それら照明部７１，７２において、階ごとに個別に照明スイッチが電気的に接続されていてもよい。これらの場合でも、各照明スイッチが玄関やリビングなどにおいて集約して設けられていれば、階段壁４１の両壁面を各階において一斉に発光させることができる。つまり、ＬＥＤ照明装置５３を一斉点灯状態とすることができる。さらに、ＬＥＤ照明装置５３は、所定時刻になった場合や所定条件が満たされた場合などにコントローラなどの制御手段により一斉点灯状態に移行されるものでもよい。
【００７１】
（８）階段壁４１の壁面は、階段空間２２側とその反対側とで独立して点灯及び消灯してもよい。例えば、照明スイッチの操作により第１照明部７１と第２照明部７２とが独立して点灯及び消灯する構成とする。また、階段壁４１の壁面は、上下階で独立して点灯及び消灯してもよい。例えば、第１照明部７１が上階側ランプ部と下階側ランプ部とを有し、それらランプ部が上下に並べて配置された構成とする。
【００７２】
（９）階段空間２２は、複数の階段壁４１に囲まれていなくても、少なくとも１つの階段壁４１により隣接空間３１と仕切られていればよい。例えば、横並びに配置された複数の隣接空間３１に沿って延びるように１つの階段壁４１が配置されている場合、その１つの階段壁４１の発光面により複数の隣接空間３１を照明することができる。
【００７３】
また、階段空間２２は、建物１０の中央に配置されていてもよい。この場合、各階に配置された複数の居住空間を全て隣接空間３１とすることが可能となるため、階段壁４１の発光面により建物１０内の全体を照明することができる。つまり、全館照明を実現できる。
【００７４】
（１０）一階部分１１において階段２１の下方空間は、階段空間２２とは仕切られた収納室など別の空間とされていてもよい。
【符号の説明】
【００７５】
１０…建物、１１…下階部としての一階部分、１２…上階部としての二階部分、２１…階段、２２…階段空間、３１…隣接空間、４１…階段壁、５１…壁面材、５３…ＬＥＤ照明装置、６７…ＬＥＤ、７１…第１光源を有する第１照明部、７２…第２光源を有する第２照明部。
【図１】
2012188852.tif 000003
【図２】
2012188852.tif 000004
【図３】
2012188852.tif 000005
【図４】
2012188852.tif 000006